(57)【要約】【課題】  建築型枠用のコンクリートパネルおよび建物の断熱建材として使用できる断熱パネルであって、強度を大幅に高めて大型に形成することが可能となり、これにより建築型枠の組付施工性を高めて、大幅なコストダウンを達成することができ、その上、外面に湿式仕上げ用の下地材を容易に取り付けることができる。【解決手段】  ポリスチレンなどの発砲合成樹脂材により横方向に長い長方形の板状に形成されるパネル本体１と、該パネル本体１内に、その横方向に間隔をおいてその鉛直方向に並列して埋設される複数の補強部材１０とよりなり、前記補強部材１０は、パネル本体１の外面に設けられる、湿式仕上げ用の下地材４０を固定するための釘４１が打ち込める。【選択図】    図５
2005325599.tif 000002
【特許請求の範囲】
【請求項１】
建築用のコンクリートパネルおよび建物の断熱建材として、鉛直方向に立て込んで使用される断熱パネルであって、
ポリスチレンなどの発砲合成樹脂材により横方向に長い長方形の板状に形成されるパネル本体（１）と、該パネル本体（１）内に、その横方向に間隔を存してその鉛直方向に並列して埋設される複数の補強部材（１０）とよりなり、前記補強部材（１０）は、パネル本体（１）の外面に設けられる、湿式仕上げ用の下地材（４０）を固定するための釘などの固定具（４１）が止められるようにしたことを特徴とする、断熱パネル。
【発明の詳細な説明】
【技術分野】
【０００１】
本発明は、建築用のコンクリートパネルおよび建物の断熱建材として利用可能な、断熱パネルに関するものである。
【背景技術】
【０００２】
従来、コンクリート躯体を有する建築物において、そのコンクリート躯体を成形する型枠の構築用型枠板（コンクリートパネル）として使用できる外、建築物の構築後は、解体せずにそのままコンクリート壁の断熱壁として使用できるようにした、型枠兼用建材が知られている（たとえば、特許文献１参照）。
【特許文献１】特公昭５２−９７２１９号公報
【発明の開示】
【発明が解決しようとする課題】
【０００３】
ところで、かかる従来の型枠兼用建材は、型枠板を解体する手間が省け、また型枠板を断熱壁などの建材としてそのまま利用できるという利点があるが、その型枠兼用建材が型枠として利用される場合には、それが打設コンクリートの打設圧力に耐えて変形、損傷することがないように補強する必要があって、その重量増を招き、その作業性が悪くなるという問題があった。
【０００４】
そこで、本出願人は、型枠兼断熱建材の主体部分をポリスチレンなどの発泡合成樹脂製の断熱パネルにより構成して軽量化と高断熱性を確保しながらその強度を大幅に高め、型枠板として使用して型枠を組み付けるときに、損傷、破損することがなく、特にコンクリートの打設時のコンクリート側圧による型枠板の損傷、たわみを防止し、組付性を大幅に高めることができるように断熱パネルを既に提案している（特願２００３−４０５３０９号）。
【０００５】
本発明は、かかる断熱パネルにさらに改良を加えたものであって、大型に形成しても所期の強度を保有し、また、断熱建材として使用したとき、その外面への湿式仕上げを容易に行えるようにした、新規な断熱パネルを提供することを目的とする。
【課題を解決するための手段】
【０００６】
上記目的を達成するために、請求項１記載の発明は、建築型枠用のコンクリートパネルおよび建物の断熱建材として、鉛直方向に立て込んで使用される断熱パネルであって、
ポリスチレンなどの発砲合成樹脂材により横方向に長い長方形の板状に形成されるパネル本体と、該パネル本体内に、その横方向に間隔を存してその鉛直方向に並列して埋設される複数の補強部材とよりなり、前記補強部材は、パネル本体の外面に設けられる、湿式仕上げ用の下地材を固定するための釘などの固定具が止められるようにしたことを特徴としている。
【発明の効果】
【０００７】
本請求項１記載の発明によれば、強度を大幅に高めて大型に形成することが可能となり、これにより建築型枠の組付施工性を高めて、大幅なコストダウンを達成することができ、その上、外面に湿式仕上げ用の下地材を容易に取り付けることができる。
【発明を実施するための最良の形態】
【０００８】
以下、本発明の実施の形態を、添付図面に例示した本発明の実施例に基づいて以下に具体的に説明する。
【０００９】
図１は、断熱パネルの一部破断斜視図、図２は、図１の２−２線に沿う拡大断面図、図３は、図２の３−３線に沿う断面図、図４は、断熱パネルで形成される型枠へのコンクリート打設行程を示す図、図５は、断熱パネルへの湿式仕上げ行程を示す図である。
【００１０】
図１〜３において、断熱パネルＰは、パネル本体１と、そのパネル本体１内に埋設される複数の補強部材１０…と、パネル本体１の上面に固定されるＴバー２０を備える。
【００１１】
パネル本体１は、全体が横長の長方形の板状に形成されており、高断熱性であり、しかも軽量であるポリスチレン、ポリウレタンなどの硬質の発泡合成樹脂材により構成され、たとえば、その密度が２０〜４０ｋｇ／m3であり、その厚さが約５０ｍｍ、その上下方向の長さ（建て込みピッチ）は４５０ｍｍ、その横方向長さは１，８２０ｍｍである。またパネル本体１の外面１ｏおよび内面１ｉは、いずれも平坦面に形成され、その上端面１ｕおよび下端面１ｄには、その全長にわたりその厚み方向の中間部にスリット２がそれぞれ形成される。
【００１２】
図１，２に示すように、複数の補強部材１０…は、パネル本体１の横方向（長手方向）に間隔を存して上下方向に並列して、該パネル本体１内に埋設されており、それらの補強部材１０…の上下端は、パネル本体１の上下部のスリット２の近傍に達している。各補強部材１０…は、横断面Ｈ状に形成されて、ＡＢＳ樹脂などの硬質の合成樹脂材により構成され、曲げ強度が６３０ｋｇ／ｃｍ2 、曲げ弾性率が２４４００ｋｇ／ｃｍ2 である。そして、この補強部材１０…が、パネル本体１内に埋設されると、図２，３の示すように、その平坦な両外側面１０ｓ，１０ｓは、パネル本体１の平坦な内、外面１ｉ，１ｏに近接した対面しており、後に述べるように（図５参照）、パネル本体１の外側から補強部材１０…に、釘４１などの固定具を打ち込めるようになっている。
【００１３】
図１〜３に示すように、前記Ｔバー２０は、パネル本体１の上端面に固定されるものであり、パネル本体１の長手方向の長さと略同じ長さを有して細長く形成されており、上下方向に延びる鉛直部２０ｖと、その中間部の一側から水平に張り出す水平部２０ｈとを有し、横断面Ｔ字状に形成されている。水平部２０ｈの外側（パネル本体１より突出する部分）には、その長手方向に間隔をあけて複数の取付孔２１…が穿設されている。パネル本体１の前記スリット２には、Ｔバー２０の鉛直部２０ｖの半部が差込固定され、また、その水平部２０ｈは、パネル本体１の上端面１ｕ上に着座される。
【００１４】
図４に示すように、前記Ｔバー２０は、互いに上下方向に直列して立て込まれる上下段の断熱パネルＰ，Ｐ（図４において、上段の断熱パネルＰに添字（Ｕ）を、下段の断熱パネルＰに添字（Ｄ）を付す）を一体に結合する結合部材として利用され、さらに、複数枚の断熱パネルＰ…により建築用型枠Ｍを組み付ける際に、コンクリートの打設空間Ｓを存して互いに対峙される断熱パネルＰ，Ｐ同志を結合するアッセンブリタイ３０の差込連結金具として利用される。
【００１５】
つぎに、図４を参照して、断熱パネルＰを用いて、建築用型枠（コンクリート型枠）Ｍを組み付ける場合について説明する。
【００１６】
建築用型枠Ｍは、基礎Ｂ上に、コンクリート打設空間Ｓを存して互いに平行に設置される内、外側の断熱パネルＰ…によりそれぞれ構成される。
【００１７】
下段の断熱パネルＰ（Ｄ）に、上段の断熱パネルＰ（Ｕ）を建て込み連結するに際しては、予めＴバー２０を固定した下段の断熱パネル１（Ｄ）を、図３に示すように、鉛直状態に保持し、そこに上段の断熱パネル１（Ｕ）を立て込む。このとき、上段の断熱パネルＰ（Ｕ）のスリット２は、Ｔバー２０の鉛直部２０ｖの上半部に差込み固定される。この建て込み状態で、互いに対応する各段の断熱パネルＰ（Ｕ），Ｐ（Ｕ）；Ｐ（Ｄ），Ｐ（Ｄ）同士は、Ｔバー３０の、断熱パネルＰより外部（コンクリートの打設空間Ｓ内）に突出する水平部２０ｈの外側に設けた取付孔２１…にアッセンブリタイ３０の両端をそれぞれ差し込み係合することにより一体に連結される。
【００１８】
そして、コンクリート打設空間Ｓに、図４に示すように、コンクリートを打設することにより、建築物のコンクリート躯体が成形される。
【００１９】
ところで、Ｔバー２０の外側は、パネル本体１よりも外側（打設空間Ｓ内）に突出しており、そこに穿設した取付孔２１…にアッセンブリタイ３０が連結されるので、このアッセンブリタイ３０の連結によって断熱パネルＰが欠損することがなく、断熱パネルＰの強度、特に、上、下段の断熱パネルＰ（Ｕ），Ｐ（Ｄ）の連結部の強度を高めることができ、しかもアッセンブリタイ３０の組付性がよい。
【００２０】
コンクリート躯体の成形完了後は、内、外側の断熱パネルＰ…は、そのまま建物の断熱壁として使用できる。
【００２１】
断熱パネルＰを建物の断熱壁として使用した場合において、その断熱パネルＰの外面に湿式の外装仕上げを行うには、図５に示すように、断熱パネルＰの外面に湿式仕上げ用の下地材４０を配置する。そしてその下地材４０を、複数の補強部材１０…に複数本の釘４１…を用いての釘止めをして断熱パネルＰの外面に固定することができる。そして、下地材４０には、モルタル４２を塗着して湿式仕上げを行う。
【００２２】
以上のように、断熱パネルＰに埋設される複数の補強部材１０…は、湿式仕上げ用の下地材４０を断熱パネルＰに固定支持するための部材として利用することができ、その結果、断熱パネルＰの外面に湿式仕上げを容易に行うことができる。
【００２３】
なお、前記湿式仕上げ用の下地材４０を補強部材１０…に固定するための固定具としての釘４１を用いての釘止めの外、複数本のビスによるビス止め、複数本のネジによるネジ止めなどでもよい。また、補強部材１０…は、断熱パネルＰの補強機能を確保しつつ、前記釘止めなどがし易いような材料、たとえば、ＡＢＳ樹脂などの合成樹脂により形成される。
【００２４】
ところで、本発明にかかる断熱パネルＰは、前述したように、パネル本体１に複数の補強部材１０…が埋設されていることにより、その全域にわたりその強度が高められて堅牢であり、大きなサイズ、たとえば在来のコンクリートパネルの建て込み方向ピッチ４５０ｍｍと同じピッチに形成することが可能となり、この断熱パネルＰを採用したコンクリート型枠の組付け施工性を飛躍的に高めて、大幅なコストダウンを達成することができる。      
【００２５】
また、断熱パネルＰを建物の断熱壁として使用した場合に、その外面への湿式仕上げが容易になる。
【００２６】
以上、本発明の実施例について説明したが、本発明はその実施例に限定されることなく、本発明の範囲内で種々の実施例が可能である。
【図面の簡単な説明】
【００２７】
【図１】断熱パネルの一部破断斜視図
【図２】図１の２−２線に沿う拡大断面図
【図３】図２の３−３線に沿う断面図
【図４】断熱パネルで形成される型枠へのコンクリート打設行程を示す図
【図５】断熱パネルへの湿式仕上げ行程を示す図
【符号の説明】
【００２８】
１・・・・・・・・・・・パネル本体
１０・・・・・・・・・・補強部材
４０・・・・・・・・・・下地材
４１・・・・・・・・・・固定具（釘）
【図１】
2005325599.tif 000003
【図２】
2005325599.tif 000004
【図３】
2005325599.tif 000005
【図４】
2005325599.tif 000006
【図５】
2005325599.tif 000007